(57)【要約】【課題】リフトプラスティ効果を望むことができるマッサージ器具を提供する。【解決手段】マッサージ器具１は、本体部３と、本体部３に回動可能に支持された一対の回転軸部５と、各回転軸部５の先端部に取り付けられ、回転軸部５の軸周りに規則的に凹部７０と凸部７２とが設けられた回転マッサージ部７と、凹部７０と凸部７２とが交互に対向するように、各回転軸部５を連動して回転させる連動部９とを備えている。このマッサージ器具１は、本体部３を手で掴んで所定の方向に動かすと、回転マッサージ部７が、凹部７０と凸部７２とが交互に対向するように連動して回転し、各回転マッサージ部７に挟まれた肌は、波打つように引き上げられながら挟まれる。そのため、肌は、各回転マッサージ部７の間に摘まれ、ねじられ、引き上げられるので、このマッサージ器具１を用いると、リプトプラスティ効果が生じるマッサージを行うことができる。【選択図】  図１
2017012370.tif 000002
【特許請求の範囲】
【請求項１】
本体部と、
前記本体部に回動可能に支持された一対の回転軸部と、
各前記回転軸部の先端部に取り付けられ、前記回転軸部の軸周りに規則的に凹部と凸部とが設けられた回転マッサージ部と、
前記凹部と前記凸部とが交互に対向するように、各前記回転軸部を連動して回転させる連動部と、
を備えることを特徴とするマッサージ器具。
【請求項２】
請求項１に記載したマッサージ器具において、
前記回転マッサージ部は、
前記回転軸部の後端部側ほど前記回転マッサージ部の回転中心から離れる傾斜を形成する半球形状の前記凸部が前記回転軸部の軸周りに規則的に形成されることによって、前記凹部と前記凸部とが前記回転軸部の軸周りに規則的に設けられていることを特徴とするマッサージ器具。
【請求項３】
請求項１又は請求項２に記載のマッサージ器具において、
前記本体部は、
片手で把持できる大きさの中空形状に形成され、前記回転マッサージ部が取り付けられた各前記回転軸部の先端部分を内部から外部に出すための２つの挿通孔が形成されている
ことを特徴とするマッサージ器具。
【請求項４】
請求項３に記載のマッサージ器具において、
前記本体部は、
前記挿通孔が設けられた部分が他の部分に比べて太い形状に形成され、各前記挿通孔から等距離にある等距離線の一方の側に向かって先細りの形状に形成された
ことを特徴とするマッサージ器具。
【発明の詳細な説明】
【技術分野】
【０００１】
本発明は、ハンディタイプのマッサージ器具に関する。
【背景技術】
【０００２】
ハンディタイプのマッサージ器具として、本体と、本体から延設された一対の軸部と、軸部の先端に回動可能に取り付けられた回転体とを備えているものがある。このマッサージ器具を用いてマッサージを行う場合、球状の回転体の間に肌を挟み、その状態で本体を移動させる。このようにすると、回転体が肌を摘みながら回転しつつ移動するので、その移動方向に沿って肌の揉み出しを行うことができる。
【先行技術文献】
【特許文献】
【０００３】
【特許文献１】特許第５３５１９３７号公報
【発明の概要】
【発明が解決しようとする課題】
【０００４】
しかし、上述したマッサージ器具は、摘むことによるマッサージ効果はあるものの、いわゆるリフトプラスティ効果は望むことができなかった。リフトプラスティ効果は、摘むだけでなく、ねじること、引き上げることによる得られるマッサージ効果である。
【０００５】
このリフトプラスティ効果が生じるマッサージを行うと、表情筋の部分ストレッチができるため、肌にツヤが出る上に、肌にハリが出るなど、様々な優れた効果が期待できる。
本発明は、上記点に鑑み、リフトプラスティ効果を望むことができるマッサージ器具を提供することを目的とする。
【課題を解決するための手段】
【０００６】
請求項１に記載のマッサージ器具は、本体部と、前記本体部に回動可能に支持された一対の回転軸部と、各前記回転軸部の先端部に取り付けられ、前記回転軸部の軸周りに規則的に凹部と凸部とが設けられた回転マッサージ部と、前記凹部と前記凸部とが交互に対向するように、各前記回転マッサージ部を連動して回転させる連動部と、を備えている。
【０００７】
これによると、各回転マッサージ部が、凹部と凸部とが交互に対向するように連動して回転するので、各回転マッサージ部に挟まれた肌は、波打つように引き上げられながら挟まれる。そのため、肌は、回転マッサージ部の間に摘まれるだけでなく、波打つことによってねじられ、また引き上げられる。したがって、本発明のマッサージ器具を用いると、リフトプラスティ効果が生じるマッサージを行うことができる。
【０００８】
次に、請求項２に記載したように、前記回転マッサージ部は、前記回転軸部の後端部側ほど前記回転マッサージ部の回転中心から離れる傾斜を形成する半球形状の前記凸部が前記回転軸部の軸周りに規則的に形成されることによって、前記凹部と前記凸部とが前記回転軸部の軸周りに規則的に設けられていてもよい。
【０００９】
回転マッサージ部がこのように形成されていると、両回転マッサージ部を肌に当てたとき、肌が回転マッサージ部の傾斜に沿って盛り上がるので、その盛り上がった肌を回転マッサージ部の間に挟んで効率よくマッサージをすることができる。
【００１０】
次に、請求項３に記載したように、前記本体部は、片手で把持できる大きさの中空形状に形成され、前記回転マッサージ部が取り付けられた各前記回転軸部の先端部分を内部から外部に出すための２つの挿通孔が形成されていてもよい。
【００１１】
本体部の形状は特に限定されるものではないが、この本体部を用いると、本体部を掴んで操作することができるので、回転マッサージ部を肌に押し当てやすい。
したがって、本発明のマッサージ器具を用いると、回転マッサージ部の押し当てやすさから、軽い力でも本体部を肌に押し当てることができて疲れにくいので、リフトプラスティ効果があるマッサージを長時間行うことができる。
【００１２】
次に、請求項４に記載したように、前記本体部は、前記挿通孔が設けられた部分が他の部分に比べて太い形状に形成され、各前記挿通孔から等距離にある等距離線の一方の側に向かって先細りの形状に形成されていてもよい。
【００１３】
このようにすると、本体部が手で掴みやすく、マッサージをしても手が疲れにくいので、リフトプラスティ効果があるマッサージを長時間行うことができる。
【図面の簡単な説明】
【００１４】
【図１】図１（Ａ）は実施形態のマッサージ器具の斜視図である。図１（Ｂ）は実施形態のマッサージ器具の平面図である。図１（Ｃ）は図１（Ｂ）のＩＧ−ＩＧ断面図で、各回転マッサージ部の回転中心軸を通る平面で切断した断面図である。
【図２】図２（Ａ）は実施形態の回転軸部、回転マッサージ部及び連動部の斜視図である。図２（Ｂ）は実施形態の回転軸部、回転マッサージ部及び連動部の平面図である。
【図３】実施形態のマッサージ器具の平面図であり、マッサージを行ったときに肌が波打つ様子を説明するための説明図である。
【発明を実施するための形態】
【００１５】
以下に本発明の例示的な実施形態について図面を参照しながら説明する。
本実施形態のマッサージ器具１は、図１及び図２に示すように、本体部３と、この本体部３に回動可能に支持された回転軸部５と、各回転軸部５の先端部に取り付けられた回転マッサージ部７と、各回転軸部５を連動して回転させる連動部９と、を備えている。
【００１６】
本体部３は、図１（Ａ）に示すように、片手で把持できる大きさの中空形状に形成されている。また、本体部３には、回転マッサージ部７が取り付けられた各回転軸部５の先端部分を内部から外部に出すための２つの挿通孔３０が形成されている。
【００１７】
また、本体部３は、挿通孔３０が設けられた部分が他の部分に比べて太い形状に形成されており、図１（Ｂ）に示すように、各挿通孔３０から等距離にある等距離線αの一方の側に向かって先細りの形状に形成されている。
【００１８】
各回転軸部５の軸方向の一端側には、回転マッサージ部７が取り付けられており、この回転マッサージ部７には、回転軸部５に取り付けられると回転軸部５の軸周りに規則的に並ぶ凹部７０と凸部７２とが設けられている。
【００１９】
一方、各回転軸部５の軸方向の他端側には、連動部９を構成する連動ギア９０が取り付けられている。各回転軸部５は、各連動ギア９０が連動して回転するように各連動ギア９０を噛み合わせ、これら連動ギア９０を噛み合わせた部分を下点とするＶ字形状となるように配置されている。
【００２０】
本実施形態のマッサージ器具１は、図１（Ｃ）に示すように、軸受具６を備えている。この軸受具６は、図２に示すように、軸受孔部６１と、ネジ穴部６２が設けられており、軸受孔部６１に回転軸部５を通すとともに、ネジをネジ穴部６２に通して本体部３の図示しないネジ穴に螺入することで、各回転軸部５を本体部３に対して回動可能に固定する。回転軸部５は、この軸受具６の軸受孔部６１に通すと、これら連動ギア９０を噛み合わせた部分を下点とするＶ字形状となるように配置される。
【００２１】
回転マッサージ部７に形成される凸部７２は、図１（Ｂ）及び図１（Ｃ）に示すように、回転軸部５の後端部側（連動ギア９０が取り付けられている側）ほど回転マッサージ部７の回転中心から離れる傾斜を有する半球状に形成されている。回転マッサージ部７は、このように形成された凸部７２が、回転軸部５の軸周りに規則的に形成されることによって、凹部７０と凸部７２とが回転軸部５の軸周りに規則的に設けられた形状に形成されている。
【００２２】
連動部９を構成する各連動ギア９０は、凹部７０と凸部７２とが交互に対向するように、各回転軸部５が連動して回転するように噛み合わされる。
このように構成されたマッサージ器具１は次のように使用する。
【００２３】
まず、本体部３を手で握り、回転マッサージ部７を顔に当てる。本実施形態のマッサージ器具１は、回転マッサージ部７の凸部７２が上記のような傾斜を有しているので、両回転マッサージ部７を肌に当てたとき、盛り上がった肌が回転マッサージ部７の間にスムーズに挟み込まれる。
【００２４】
そして、本体部３を所定の方向に動かす。すると、回転マッサージ部７は、間に肌を挟みつつ回転する。このとき、回転マッサージ部７は、凹部７０と凸部７２とが交互に対向するように連動して回転するので、回転マッサージ部７に挟まれた肌は、図３に示すように波打ち（符号β）、また、引き上げられながら挟まれる。そのため、肌は、回転マッサージ部７の間に摘まれるとともに、図３に示すように、波打つことによってねじられ、また引き上げられる。
【００２５】
以上説明したマッサージ器具１は、以下のような特徴的な作用効果を奏する。
このマッサージ器具１を用いると、肌は、各回転マッサージ部７の間に摘まれるだけでなく、波打つことによってねじられ、また引き上げられるので、リフトプラスティ効果が生じるマッサージを行うことができる。
【００２６】
また、マッサージ器具１は、本体部３が手で掴みやすく、しかも、本体部３を掴んで操作することができるので、回転マッサージ部７を肌に押し当てやすい。この回転マッサージ部７の押し当てやすさから、マッサージ器具１は、軽い力でも回転マッサージ部７を肌に押し当てることができて疲れにくいので、リフトプラスティ効果があるマッサージを長時間行うことができる。
【００２７】
以上、実施形態について説明したが、特許請求の範囲に記載された発明は、上記実施形態に限定されることなく、種々の形態を採り得ることは言うまでもない。
【符号の説明】
【００２８】
１… マッサージ器具  ３… 本体部  ５… 回転軸部  ６… 軸受具
７… 回転マッサージ部  ９… 連動部  ３０… 挿通孔  ６１… 軸受孔部
６２… ネジ穴部  ７０… 凹部  ７２… 凸部  ９０… 連動ギア
【図１】
2017012370.tif 000003
【図２】
2017012370.tif 000004
【図３】
2017012370.tif 000005